(57)【要約】【課題】  多種回し速度を備えたラチェットドライバーを提供する。【解決手段】  ラチェットドライバーの一端には第一回し部が設けられ、他の一端には第二回し部及び第三回し部が設けられ、前記第二回し部及び前記第三回し部にはともに滑り止め紋筋が備えられ、使用者が第二回し部または第三回し部を握って回した場合はよりよい摩擦力を得ることができる。前記三つの回し部の直径はすべて不同であるので、違ったトルク及び違った回し速度の回し力を提供することができ、使用者がそれを握って回す場合、使用時の需要によって最も適当な回し部を選択して操作することができ、操作使用は時間や力を節減することができる。【選択図】  図２
2007276106.tif 000002
【特許請求の範囲】
【請求項１】
多種回し速度を備えたラチェットドライバーであって、それは握り柄と、向き切り替えと、回し部材及びラチェット機構からなり、前記ラチェットドライバーの一端には第一回し部が設けられ、他の一端には第二回し部及び第三回し部が設けられ、前記第二回し部及び前記第三回し部にはともに滑り止め紋筋が備えられ、前記三つの回し部の直径はすべて同じでなく、違ったトルク及び違った回し速度の回し力を提供することができ、使用者がそれを握って回す場合、使用時の需要によって最も適当な回し部を選択して操作することができることを特徴とする多種回し速度を備えたラチェットドライバー。
【請求項２】
前記第一回し部は握り柄に設けられてあることを特徴とする請求項１記載の多種回し速度を備えたラチェットドライバー。
【請求項３】
前記第二回し部及び前記第三回し部は回し部材に設けられてあることを特徴とする請求項１記載の多種回し速度を備えたラチェットドライバー。
【請求項４】
前記第一回し部の直径は第二回し部の直径より大きく、第二回し部の直径は第三回し部の直径より大きいことを特徴とする請求項１記載の多種回し速度を備えたラチェットドライバー。
【請求項５】
ドライバー連接棒をラチェットドライバーに結合し、前記ドライバー連接棒には第四回し部が設けられ、その第四回し部の直径は最小であることを特徴とする請求項１記載の多種回し速度を備えたラチェットドライバー。
【請求項６】
前記滑り止め紋筋は直線紋筋に実施されることを特徴とする請求項１記載の多種回し速度を備えたラチェットドライバー。
【請求項７】
前記滑り止め紋筋は交差紋筋に実施されることを特徴とする請求項１記載の多種回し速度を備えたラチェットドライバー。
【請求項８】
前記滑り止め紋筋は突起に実施されることを特徴とする請求項１記載の多種回し速度を備えたラチェットドライバー。
【請求項９】
前記突起は錐形に実施されることを特徴とする請求項８記載の多種回し速度を備えたラチェットドライバー。
【発明の詳細な説明】
【技術分野】
【０００１】
本発明はラチェットドライバーに関するもので、特に多種回し速度を備えたラチェットドライバーに係る。
【背景技術】
【０００２】
従来のラチェットドライバーとしては、アメリカ合衆国特許第6047802号「RATCHET  DRIVING  MECHANISM」に開示されたものがある。そのラチェットドライバーの握り柄には使用者の回しに用いられるルーレット紋筋が設けられてある。前記握り柄は直径が大きいので低回し速度高トルクの回し力を提供することができ、使用者はよりきつい締め付け状態にあるねじを回すことができる。ところがねじがやや緩んだ状態にある場合、ねじは高回し速度低トルクの回しを必要とするが、前記ラチェットドライバーには他の滑り止め紋筋が設けられた回し部を提供していないので、使用者は握り柄を握って使用しなければならなく、握り柄4の直径が大きいことに制限され、低い回し速度で回すしかなく、使用上時間や力の無駄になる。
【発明の開示】
【０００３】
本発明はラチェットドライバーに関し、そのラチェットドライバーの一端には第一回し部が設けられ、他の一端には第二回し部及び第三回し部が設けられ、前記第二回し部及び前記第三回し部にはともに滑り止め紋筋が備えられ、使用者が第二回し部または第三回し部を握って回した場合はよりよい摩擦力を得ることができる。前記三つの回し部の直径はすべて不同であるので、違ったトルク及び違った回し速度の回し力を提供することができ、使用者がそれを握って回す場合、使用時の需要によって最も適当な回し部を選択して操作することができ、操作使用は時間や力を節減することができる。
【発明を実施するための最良の形態】
【０００４】
本発明はラチェットドライバーに関し、図１に示すように、ラチェットドライバー10は握り柄11、向き切り替え12、回し部材13及びラチェット機構（図面には示されていない）から構成され、それの特徴は次の如くである。
【０００５】
前記ラチェットドライバー10の一端（すなわち相対して握り柄11のある個所）には第一回し部14が設けられ、その第一回し部14の直径はD1である。前記第一回し部14は直径がやや大きいので、高トルク（4.0単位）及び低回し速度（6回転/分）の回し力を提供することができる。
【０００６】
前記ラチェットドライバー10の他の一端（すなわち相対して回し部材13のある個所）には第二回し部15及び第三回し部16が設けられ、前記第二回し部15及び第三回し部16にはともに滑り止め紋筋が設けられてある。前記第二回し部15の直径はD2である。前記第二回し部15は直径が適中であるので、中トルク（1.0単位）及び中回し速度（12回転/分）の回し力を提供することができる。前記第三回し部16の直径はD3である。前記第三回し部16は直径がやや小さいので、低トルク（0.5単位）及び高回し速度（20回転/分）の回し力を提供することができる。第一実施例に於いて、第二回し部15及び第三回し部16の滑り止め紋筋は直線紋筋に実施され、使用者の握り回しによりよい摩擦力を提供することができる。
【０００７】
図２を参照する。前記ラチェットドライバー10に直径の違う三つの回し部が備えられ、第一回し部14の直径D1は第二回し部15の直径D2より大であり、第二回し部15の直径D2は第三回し部16の直径D3より大である(D1>D2>D3)。使用者がそれを握って回す場合、使用時の需要によって最も適当な回し部を選択して操作することができ、操作使用は時間と力を相当に節減することができる。
【０００８】
注意に値することは、ラチェットドライバー10の第二回し部15及び第三回し部16にはともに滑り止め紋筋が設けられてあるので、使用者が第二回し部15または第三回し部16を握って回す場合、ともによりよい摩擦力を得ることができる。
【０００９】
ねじがややきつい状態にある場合、使用者はラチェットドライバー10の第一回し部14を握ってねじを回すことができ、第一回し部14は直径が大きいので低回し速度高トルクの回し力を提供することができる。
【００１０】
ねじが中程度の緊密状態にある場合、使用者はラチェットドライバー10の第二回し部15を握ってねじを回すことができ、第二回し部15は直径が適中であるので中回し速度中トルクの回し力を提供することができる。
【００１１】
ねじがやや緩い状態にある場合、使用者はラチェットドライバー10の第三回し部16を握ってねじを回すことができ、第三回し部16は直径が小さいので高回し速度低トルクの回し力を提供することができる。
【００１２】
図３を参照する。前記ラチェットドライバー10の他の一端にドライバー連接棒20が結合され、前記ドライバー連接棒20には第四回し部21が設けられ、前記第四回し部21の直径はD4であり、第四回し部21は直径がやや小さいので、微小トルク及び超高回し速度の回し力を提供することができる。前記第四回し部21の直径D4は第三回し部16の直径D3より小である(D1＞D2＞D3＞D4)。
【００１３】
図４は本発明の第二実施例を示し、第二実施例は第一実施例と同じであるが、それの差異は第二回し部15及び第三回し部16の滑り止め紋筋は交差紋筋に実施されてある。
【００１４】
図５は本発明の第三実施例を示し、第三実施例は第一実施例と同じであるが、それの差異は第二回し部15及び第三回し部16の滑り止め紋筋は錐形突起に実施されてある。
【図面の簡単な説明】
【００１５】
【図１】本発明の立体図である。
【図２】本発明の使用状態の意表図である。
【図３】本発明にドライバー連接棒を結合して使用する意表図である。
【図４】本発明第二実施例の立体図である。
【図５】本発明第三実施例の立体図である。
【符号の説明】
【００１６】
10    ラチェットドライバー
11    握り柄
12    向き切り替え
13    回し部材
14    第一回し部
15    第二回し部
16    第三回し部
20    ドライバー連接棒
21    第四回し部
【図１】
2007276106.tif 000003
【図２】
2007276106.tif 000004
【図３】
2007276106.tif 000005
【図４】
2007276106.tif 000006
【図５】
2007276106.tif 000007